(57)【特許請求の範囲】
【請求項１】
矩形状のパネルボードの周縁部に取り付ける枠体であって、前記各周縁部に対応した分割枠体と、隣接する分割枠体を連結する連結部材と、該連結部材による連結部分を被覆するカバーとでなり、
前記分割枠体は、断面形状が中空の角形で長手方向の一側面に前記パネル板厚に対応した開口部が一様に設けられ、中空内部の中央部に長手方向に沿って仕切り部が設けられ、中空内部のコーナ部において少なくとも外側に取付用ネジ孔部が設けられてなり、
前記連結部材は、隣接する分割枠体の長手方向の端部開口の各々を塞ぐ両平板体がその基部同士で一体に連結されて構成され、該両平板体には前記分割枠体の取付用ネジ孔部に対応した位置にネジ挿通用の孔が設けられ、かつ、中央部に前記パネルボードのコーナー部との当接を避ける切欠きと前記カバーを係止する係止部が設けられており、
前記カバーは、前記隣接する分割枠体の端部開口の間に生じる間隙を被覆するカバー体と、該カバー体の内側に設けられ前記連結部材の係止部に係止する係止爪とで構成されていること、
を特徴とするボード用枠体。
【請求項２】
連結部材の平板体には、分割枠体の端部開口から内部に挿入される位置決め部材が設けられていること、
を特徴とする請求項１に記載のボード用枠体。
【発明の詳細な説明】
【０００１】
【発明の属する技術分野】
本発明は、ボード類を取り付けるボード用枠体のコーナ部における構造に係り、例えば、平板状のボードを４本の枠本体で囲繞し、そのコーナ部を頑丈に固定するための嵌合構造であって、外観上の見栄えを考慮したボード用枠体に関する。
【０００２】
【従来の技術】
従来、天井用ボード類等の平板状パネルボードの周縁部に取り付ける枠体として、例えば、多角形状の周縁部用部材を一体物を成型してその裏側の溝部に取り付けたりする額縁状の枠体、若しくは、平板状パネルボードの周縁部に対応して分割された各分割枠体と、該分割枠体とは別体の金属製取付金具とにより、ネジ止め等の固定手段で平板状パネルボードの周縁部に取り付けられる構成の枠体が知られている。
【０００３】
【発明が解決しようとする課題】
しかしながら、一体物の額縁状の枠体では分解することが出来ずに運搬・収納・取扱い・作業性の点において不便であり、また、分割枠体を取付金具で取り付ける方法では部品点数が増加し、取付金具部分も外観から見えてしまい意匠上好ましくないという課題がある。本発明に係るは、このような課題を解消するために提案されるものである。
【０００４】
【課題を解決するための手段】
本発明に係るボード用枠体の上記課題を解決するための要旨は、矩形状のパネルボードの周縁部に取り付ける枠体であって、前記各周縁部に対応した分割枠体と、隣接する分割枠体を連結する連結部材と、該連結部材による連結部分を被覆するカバーとでなり、前記分割枠体は、断面形状が中空の角形で長手方向の一側面に前記パネル板厚に対応した開口部が一様に設けられ、中空内部の中央部に長手方向に沿って仕切り部が設けられ、中空内部のコーナ部において少なくとも外側に取付用ネジ孔部が設けられてなり、前記連結部材は、隣接する分割枠体の長手方向の端部開口の各々を塞ぐ両平板体がその基部同士で一体に連結されて構成され、該両平板体には前記分割枠体の取付用ネジ孔部に対応した位置にネジ挿通用の孔が設けられ、かつ、中央部に前記パネルボードのコーナー部との当接を避ける切欠きと前記カバーを係止する係止部が設けられており、前記カバーは、前記隣接する分割枠体の端部開口の間に生じる間隙を被覆するカバー体と、該カバー体の内側に設けられ前記連結部材の係止部に係止する係止爪とで構成されていることである。
【０００５】
また、前記連結部材の平板体には、分割枠体の端部開口から内部に挿入される位置決め部材が設けられていることを含むものである。
【０００６】
本発明に係るボード用枠体によれば、パネルボードの周縁部の長さに対応した分割枠体を当該パネルボードの周縁部に各々差し込み、隣接する分割枠体の端部開口部に連結部材をタッピングネジ等でネジ止めし、カバーを前記連結部材の係止部に係止爪を係止させて、当該隣接した分割枠体の端部開口の間に生じる間隙をカバーすることで枠体の全体が完成する。このように、同一形状の分割枠体を所要数用意して連結部材を介してネジ止めし、その後、ワンタッチ装着でカバーを取り付けることが出来るようになり、容易な組立作業となるものである。
【０００７】
【発明の実施の形態】
次に、本発明に係るボード用枠体について図面を参照して説明する。前記ボード用枠体１は、例えば、天井用若しくは仕切板用として使用される平板状で矩形状のパネルボードの周縁部において、カバー用として取付けられる木製，合成樹脂製，金属製の枠体である。
【０００８】
前記枠体１の構成は、図１乃至図２に示すように、前記パネルボードの各周縁部に対応した長さで、中空角柱体の分割枠体２と、隣接する分割枠体２を連結する連結部材３と、該連結部材３による連結部分を被覆するカバー４とで構成される。
【０００９】
前記分割枠体２は、例えば、断面形状が中空の四角形で、長手方向の一側面２ａに前記パネルボードの板厚に対応した開口部２ｂが、長手方向に沿って一様に設けられている。
【００１０】
前記分割枠体２における中空内部の中央部には、長手方向に沿って仕切り部２ｃが設けられている。この仕切部２ｃは、分割枠体２の補強部材であるとともに、図３に示すように、中空内部に開口部２ｂから挿入されるパネルボード５の端面の位置決めともなるものである。
【００１１】
また、前記中空内部のコーナ部において、内側の位置に所望長さの補強部材２ｄと、外側の位置に取付用ネジ孔部２ｅが設けられている。
【００１２】
前記連結部材３は、図１に示すように、隣接する分割枠体２，２の長手方向の端部開口の各々を塞ぐ両平板体３ａが、その基部３ｂ同士で一体に連結されて構成されている。
【００１３】
そして、該両平板体３ａには、前記分割枠体２の取付用ネジ孔部２ｅに対応した位置にネジ挿通用の孔３ｃが設けられ、かつ、中央部に前記パネルボード５のコーナー部との当接を避ける逃げ部である切欠き３ｄと、前記カバーを係止する係止部３ｅが設けられている。なお、三角板３ｆは補強部材であって、前記平板体３ａと一体に形成される。
【００１４】
更に、前記各平板体３ａ，３ａの裏面側には、分割枠体２の端部開口から内部に挿入される位置決め部材３ｇがそれぞれに設けられている。
【００１５】
前記カバー４は、図２乃至図５に示すように、前記隣接する分割枠体２の端部開口の間に生じる間隙を被覆するカバー体４ａと、該カバー体４ａの内側に設けられ前記連結部材３の係止部３ｅに係止する係止爪４ｂ，４ｃとで構成されている。当該係止爪４ｂは、内側に向かって弾性変形するものである。係止爪４ｃは、係止部３ｅの端面に突出側面部が引っかけられる突起部である。
【００１６】
なお、前記カバー体４ａの角部の円弧状切欠き部４ｄは、逃げ部である。また、パネルボード５は、例えば、天井、床、又は壁等の仕上げ材としての木炭ボードなどである。
【００１７】
以上のように構成されるボード用枠体１をパネルボード５に適用するには、図３を参照して説明すると、例えば、四角形のパネルボード５の各周縁部に、開口部２ｂから分割枠体２を差し込む。そして、分割枠体２の下端部開口に位置決め部材３ｇを嵌合させて連結部材３を載置する。パネルボード５のコーナー部は、連結部材３の切欠き３ｄに入り込んで当接することがない。
【００１８】
そして、図１に示すように、タッピングネジ６を各孔３ｃに各々挿通させ、ネジ孔部２ｅにセルフタップでねじ込むことにより、隣接する分割枠体２，２が４カ所のコーナー部においてそれぞれ連結される。
【００１９】
次ぎに、係止爪４ｂ，４ｃを前記各コーナー部に固定した連結部材３の係止部３ｅに係止させて、各カバー４をワンタッチで装着する。
【００２０】
なお、上記以外にも、予め分割枠体２，２と連結部材３と、又はこれらにカバー４とを連結させてアッセンブリを形成しておいて、パネルボード５に当該アッセンブリした分割枠体を装着するようにしても良い。この組立方法は適宜組み合わせを含むものである。
【００２１】
このようにして、ボード周縁部に枠体１を取り付けたパネルボード５を、フックなどにより、天井、壁等に仕上げ材として配設するものである。
【００２２】
【発明の効果】
以上説明したように、本発明に係るボード用枠体は、パネルボードの周縁部にに対応した分割枠体と、隣接する分割枠体を連結する連結部材と、該連結部材による連結部分を被覆するカバーとでなり、前記分割枠体は、断面形状が中空の四角形で長手方向の一側面に前記パネル板厚に対応した開口部が一様に設けられ、中空内部の中央部に長手方向に沿って仕切り部が設けられ、中空内部のコーナ部において少なくとも外側に取付用ネジ孔部が設けられてなり、前記連結部材は、隣接する分割枠体の長手方向の端部開口の各々を塞ぐ両平板体がその基部同士で一体に連結されて構成され、該両平板体には前記分割枠体の取付用ネジ孔部に対応した位置にネジ挿通用の孔が設けられ、かつ、中央部に前記パネルボードのコーナー部との当接を避ける切欠きと前記カバーを係止する係止部が設けられており、前記カバーは、前記隣接する分割枠体の端部開口の間に生じる間隙を被覆するカバー体と、該カバー体の内側に設けられ前記連結部材の係止部に係止する係止爪とで構成されているので、容易な作業で分割枠体が組み立てられ、また、ワンタッチでカバーを装着でき、コーナー部をカバーできるので外観上もすっきりとした枠体となるという優れた効果を奏するものである。
【００２３】
前記連結部材の平板体には、分割枠体の端部開口から内部に挿入される位置決め部材が設けられているので、隣接する分割枠体を連結する際に連結部材によって位置決めされてネジ止め作業が容易になるという優れた効果を奏するものである。
【図面の簡単な説明】
【図１】本発明に係るボード用枠体１の組立作業の一部を示す説明図である。
【図２】同本発明に係るボード用枠体１のコーナー部の断面図である。
【図３】同本発明に係るボード用枠体１にパネルボード５を装着した場合のコーナー部の断面図である。
【図４】本発明に係るボード用枠体のカバー４の斜視図である。
【図５】本発明に係るボード用枠体のカバー４の正面図（イ）、一部を破断して示す側面図（ロ）、平面図（ハ）である。
【符号の説明】
１  ボード用枠体、２  分割枠体、２ａ  一側面、２ｂ  開口部、
２ｃ  仕切部、２ｄ  補強部材、２ｅ  ネジ孔部、２ｆ  ３  連結部材、
３ａ  平板体、３ｂ  基部、３ｃ  孔、３ｄ  切欠き、３ｅ  係止部、
３ｆ  三角板、３ｇ  位置決め部材、４  カバー、４ａ  カバー体、
４ｂ，４ｃ  係止爪、４ｄ  切欠き部、５  パネルボード。
【図１】
0004257881.tif 000002
【図２】
0004257881.tif 000003
【図３】
0004257881.tif 000004
【図４】
0004257881.tif 000005
【図５】
0004257881.tif 000006